(57)【要約】【課題】本発明は、放射体の遠赤外線効果を利用し低温で十分な湿気を伴うためお年寄りや障害者及び小さな子供などが長時間利用することができ、施設の施工時や移動時及び清掃時の作業性に優れ、障害者の入浴の介護にかかる負担を少なくでき、保温効果に優れ、衛生的で耐久性や省資源性に優れたサウナ用ベッド及びそれを用いたベッド式サウナを提供することを目的とする。【解決手段】本発明のサウナ用ベッドは、底板を有するベッド部と、前記底板の上部に配設された板状の床断熱材と、前記床断熱材の上部に配設された放熱部と、前記放熱部の上部に配設された温水供給管及び温水還流管からなる温水配管と、前記放熱部の上部に前記温水配管を避けて配設された放熱部補強部と、を有する加熱部と、前記加熱部の上部に脱着自在に又は固定して載置されたカバー部と、前記カバー部の嵌合部に嵌合された遠赤外線等の電磁波の放射体岩盤と、を備えた構成を有している。【選択図】  図２
2004194923.tif 000002
【特許請求の範囲】
【請求項１】
ａ．底板を有するベッド部と、
ｂ．前記底板の上部に配設された板状の床断熱材と、前記床断熱材の上部に配設された放熱部と、前記放熱部の上部に配設された温水供給管及び温水還流管からなる温水配管と、前記放熱部の上部に前記温水配管を避けて配設された放熱部補強部と、を有する加熱部と、
ｃ．前記加熱部の上部に脱着自在に又は固定して載置されたカバー部と、
ｄ．前記カバー部の嵌合部に嵌合された遠赤外線等の電磁波の放射体岩盤と、
を備えていることを特徴とするサウナ用ベッド。
【請求項２】
前記放熱部の表面に形成された前記温水配管を嵌合する嵌合溝と、前記放熱部の下面に配設された床下補強板と、を有していることを特徴とする請求項１に記載のサウナ用ベッド。
【請求項３】
前記ベッド部の前記底板上に、
前記ベッド部の長手方向と平行に配設された左側及び右側枠部材と、
前記ベッド部の長手方向と直交して配設された上及び下枠部材と、
を備え、
前記左側及び右側枠部材と前記上及び下枠部材で囲繞された中央部に前記加熱部が形成されていることを特徴とする請求項１又は２に記載のサウナ用ベッド。
【請求項４】
前記ベッド部の前記中央部を除く前記底板の上部に立設された桟部と、平板状に形成され前記桟部の上部に配設された補助底板と、前記補助底板の上部に配設された前記放熱部と、を有する補助加熱部を備え、
及び／又は、前記加熱部が、
前記床断熱材の上部に前記左側及び右側枠部材と前記上及び下枠部材に沿って井形に配設された断熱枠材を有していることを特徴とする請求項１及至３の内いずれか１項に記載のサウナ用ベッド。
【請求項５】
前記放熱部補強部が、両面に積層された遠赤外線反射シートを備えていることを特徴とする請求項１及至４の内いずれか１項に記載のサウナ用ベッド。
【請求項６】
前記カバー部が、
前記加熱部又は前記補助加熱部の直上の前記カバー部に開口された１以上の開口部と、
前記開口部に脱着自在に嵌合された矩形状の受皿部と、
前記受皿部に玉石を充填して形成された玉石部と、
を有していることを特徴とする請求項１及至５の内いずれか１項に記載のサウナ用ベッド。
【請求項７】
請求項１及至６のいずれかに記載されたサウナ用ベッドの前記カバー部の上面に覆設された入浴シーツと、
前記入浴シーツの上部に覆設された入浴カバーと、
を有していることを特徴とするベッド式サウナ。
【請求項８】
前記入浴カバー内に多湿気体又は微細液体を供給し前記入浴カバー内を多湿雰囲気にする多湿雰囲気供給装置と、
前記入浴カバーと前記多湿雰囲気供給装置とを連通して連結する連結部と、
を有していることを特徴とする請求項７に記載のベッド式サウナ。
【発明の詳細な説明】
【０００１】
【発明の属する技術分野】
本発明は、一般家庭や養護老人ホーム等で使用できる遠赤外線効果を利用したサウナ用ベッド及びそれを用いた低温多湿気雰囲気のベッド式サウナに関するものである。
【０００２】
【従来の技術】
近年、入浴者の発汗作用を促進させる目的で設けられているサウナは、温泉等の施設に設置されることが多い。
以下に、従来のサウナについて、図面を参照しながら説明する。
図１０は従来のサウナを示す正面図である。図１０において、１０１は木材等からなる床パネル、１０２は床パネル１０１に直立し木材等からなる壁パネル、１０３は壁パネル１０２に直交し木材等からなる天井パネル、１０４は床パネル１０１の上面に配設され室内の温度を上昇させるストーブ、１０５はストーブ１０４を包囲し入浴者が近寄って火傷等をしないための木材等からなる防護壁、１０６は床パネル１０１の上面に配設された木材等からなる椅子である。
【０００３】
以上のように構成された従来のサウナについて、以下その使用方法を説明する。ストーブ１０４により室内を熱風や水蒸気により加熱して温度を１００℃程度の高温又は高温多湿に保持し、入浴者は椅子１０６に座って発汗作用を促進させている。
しかし、断熱材で密閉した空間に床暖房設備を設ける方法は手間と経費がかかるという課題と、サウナの施設を移動する際は手間がかかるという課題と、高温での利用は体力的な負担が大きいためお年寄りや障害者及び小さな子供などには長時間の利用が難しいという課題と、障害者が入浴するには介護者が一緒に入浴するなどの介助が必要であるという課題と、各所に使用される木材等に雑菌が繁殖しやすく悪臭が発生し衛生的に劣るという課題と、を有していた。
そこで、これらの課題を解決するために、従来のサウナは、ベッド本体に、掛けカバー立てを設け、断熱クッション板の上部に、面熱体カーボン、電熱ヒーター、トルマリン粒体鉱石装着金属板にトルマリン鉱石被服布を設け、ベッド本体に電気コントロールボックスと電気コンセントを設け、ベッド本体の上部に保温掛けカバーを設けたもの（特許文献１参照）が提案されている。
【０００４】
【特許文献１】
特開２００１−１３７３６８号公報
【０００５】
【発明が解決しようとする課題】
しかしながら上記従来の技術は、以下のような課題を有していた。
（１）特許文献１に開示の技術は、サウナとして使用するためには高温に設定する必要があるため長時間の利用が難しいという課題と、入浴者の汗などの汚れを清掃する際の作業性に劣るという課題と、気密性に劣るため湿度を高く保てないという課題と、電熱ヒーターに直接金属板からの荷重がかかるので耐久性に劣るという課題と、を有していた。
【０００６】
本発明は上記従来の課題を解決するもので、放射体の遠赤外線効果を利用し低温で十分な湿気を伴うためお年寄りや障害者及び小さな子供などが長時間利用することができ、施設の施工時や移動時及び清掃時の作業性に優れ、障害者の入浴の介護にかかる負担を少なくでき、保温効果に優れ、衛生的で耐久性や省資源性に優れたサウナ用ベッド及びそれを用いたベッド式サウナを提供することを目的とする。
【０００７】
【課題を解決するための手段】
上記従来の課題を解決するために本発明のサウナ用ベッド及びそれを用いたベッド式サウナは、以下の構成を有している。
本発明の請求項１に記載のサウナ用ベッドは、
ａ．底板を有するベッド部と、
ｂ．前記底板の上部に配設された板状の床断熱材と、前記床断熱材の上部に配設された放熱部と、前記放熱部の上部に配設された温水供給管及び温水還流管からなる温水配管と、前記放熱部の上部に前記温水配管を避けて配設された放熱部補強部と、を有する加熱部と、
ｃ．前記加熱部の上部に脱着自在に又は固定して載置されたカバー部と、
ｄ．前記カバー部の嵌合部に嵌合された遠赤外線等の電磁波の放射体岩盤と、
を備えた構成を有している。
この構成により、以下のような作用が得られる。
（１）加熱された温水供給管からの熱が直上の放射体岩盤に伝導するため、放射体岩盤を効率良く加熱することができる。
（２）放射体岩盤からは熱に加えて遠赤外線が発生して熱及び遠赤外線の両方が入浴者を温めるため、温水配管の設定温度を低くすることができる。
（３）温水配管の温度を低くできるため、低温で入浴することができる。
（４）加熱を停止しても放射体岩盤の熱伝導率が低いため、保温効果に優れる。
（５）加熱部の直下に床断熱材を用いているので、断熱効果が高く、省エネルギー性に優れる。
（６）カバー部が脱着自在にすることで入浴後にカバー部をはずし全体をアルコール消毒または日光消毒等することができるため、常に衛生的に保つことができる。
（７）放熱部補強部が嵌合溝を避けて配設され温水配管に荷重がかからないため、温水配管の耐久性に優れる。
（８）カバー部が載置されることで下部への荷重が均一に分散されるため、耐久性に優れる。
（９）放射体岩盤がカバー部に嵌合されることで放射体岩盤とカバー部を面一にすることができるため、入浴者が違和感なく横臥し入浴することができる。
（１０）ベッド式によりサウナ入浴を行うため、１人で利用することができる。
【０００８】
ここで、ベッド部としては、化粧板などの木材、鋼材等が用いられる。特に化粧板などの木材は重量が軽く加工が容易であり保温性に優れるため、好適に用いられる。
ベッド部の寸法は、幅方向が８５０ｍｍ〜１２００ｍｍ、長さ方向が１５００ｍｍ〜２０００ｍｍに形成される。ベッド部の幅方向の寸法が８５０ｍｍより小さくなるにつれて入浴者が横臥しにくくなる傾向がみられ、また、１２００ｍｍより大きくなるにつれて寸法が入浴者の肩幅を上回ってしまい不必要な部分が増大する傾向がみられ、いずれも好ましくない。
また、ベッド部の長さ方向の寸法が１５００ｍｍより小さくなるにつれて入浴者が横臥しにくくなる傾向がみられ、また、２０００ｍｍより大きくなるにつれて寸法が入浴者の身長を上回り不必要な部分が増大する傾向がみられ、いずれも好ましくない。
底板としては、ベニヤ板やコンクリートパネルなどの木材板、鉄板やステンレス板などの鋼板等が用いられる。特に、コンクリートパネルは加工が容易であり防水性に優れるため、好適に用いられる。
床断熱材としては、グラスウールやロックウール等の無機繊維系、ポリスチレンフォームやウレタンフォーム等の発泡プラスチック系、木質繊維系などの断熱性の高い材料が用いられる。特にポリスチレンフォームは断熱性及び耐久性に優れるため、好適に用いられる。
また、床断熱材の厚さは、１０〜７０ｍｍに形成されたものが好適に用いられる。厚さが１０ｍｍより薄くなるにつれて断熱性に劣る傾向がみられ、また７０ｍｍより厚くなると断熱効果を維持するのに必要な厚さを上回り重量が増大する傾向がみられるため、いずれも好ましくない。
放熱部としては、ポリスチレンフォームやウレタンフォーム等の発泡プラスチック系断熱材の表面にアルミ等のシートを接着したもの、ゴムや木材などの絶縁体チップを固めたものなどが用いられる。特に、ポリスチレンフォームの表面にアルミシートを接着したものは断熱性、加工性及び表面の放熱性に優れるため、好適に用いられる。
放熱部の厚さは、１０〜４０ｍｍの寸法の数値が好適に用いられる。厚さが１０ｍｍより薄くなるにつれて強度が落ちるため耐久性に劣る傾向がみられ、また４０ｍｍより厚くなると十分な強度を有し重量が増大する傾向がみられるため、いずれも好ましくない。
温水供給管及び温水還流管からなる温水配管としては、架橋ポリエチレン管や、ポリブデン管、金属管などが用いられる。特に架橋ポリエチレン管は耐久性、強度に優れ、軽量であるため、好適に用いられる。
放熱部補強部としては、ベニヤ板やコンクリートパネルなどの木材板、鉄板やステンレス板などの鋼板等が用いられる。特に、ベニヤ板は重量が軽く加工が容易であり厚さが薄くできるため、好適に用いられる。
放熱部補強部の厚さは、２ｍｍ〜１０ｍｍの寸法が好適に用いられる。厚さが２ｍｍより小さくなるにつれて荷重に対して強度に劣る傾向がみられ、１０ｍｍより大きくなるにつれて使用する材料が増大し重量が増大する傾向がみられ、いずれも好ましくない。特に、温水配管の外径と略同一のものが用いられると、放射体岩盤と温水配管が当接するため、熱効率を高めることができる。
カバー部としては、アクリル板、ポリカーボネイド板、プラスチック板、ベニヤ板などの木材や、コンクリートパネル裏面にアクリル板を積層したもの等が用いられる。特にコンクリートパネル裏面にアクリル板を積層したものは、使用後にアルコール等での消毒が容易で行えるため衛生的であり、強度に優れ加工が容易であり、熱による変形がないため、好適に用いられる。
放射体岩盤としては、ホルンヘルスと呼ばれる天照石や竜王石や麦飯石などを平板状に切断研磨することで成形したものが用いられる。特に、天照石は遠赤外線の発生量が多いため、好適に用いられる。
また、放射体岩盤の形状としては円形、方形、菱形等が用いられる。特に方形は加工が容易であるため、好適に用いられる。
放射体岩盤を配設する方法については、円形もしくは方形に成形した放射体岩盤を複数枚間隔を空けて配設する方法、及び方形に成形した放射体岩盤を複数枚タイル状に配設する方法等が用いられる。特に、円形もしくは方形に成形した放射体岩盤を複数枚間隔を空けて配設する方法は、放射体岩盤を入浴者が持病を持つ患部であることが多い胸部、腰部、足部に相当する位置に配設することで遠赤外線効果を高めることができ、運搬時や作業時に放射体岩盤が破損する危険が少ないため、好ましい。
また、放射体岩盤の大きさは、５０〜４００ｍｍが好適に用いられる。寸法が５０ｍｍより短くなるにつれて加工に手間がかかり作業性に劣る傾向がみられ、また４００ｍｍより長くなると放射体岩盤が搬送時や設置時に破損する危険が高くなる傾向がみられ、いずれも好ましくない。
放射体岩盤の厚さは、１５〜４５ｍｍが好適に用いられる。厚さが１５ｍｍより薄くなるにつれて岩盤放射体の強度が不足する傾向がみられ、また４５ｍｍより厚くなると重量が増大して現場での設置作業性が悪くなり熱伝導に時間がかかる傾向がみられるため、いずれも好ましくない。
【０００９】
本発明の請求項２に記載の発明は、請求項１に記載のサウナ用ベッドであって、
前記放熱部の表面に形成された前記温水配管を嵌合する嵌合溝と、前記放熱部の下面に配設された床下補強板と、を備えた構成を有している。
この構成により、請求項１の作用に加えて、以下のような作用が得られる。
（１）温水配管の下面やその周囲を断熱材で囲繞しているため、保温効果が高く省エネルギー性を高め、温水器のコンパクト化がはかれる。
（２）床下補強板を使用するため、加熱部の強度及び耐久性を高めることができる。
（３）嵌合溝に温水配管を嵌合させることにより温水配管にかかった上部からの荷重を分散できるため、温水配管の耐久性に優れる。
【００１０】
ここで、床下補強板としては、ベニヤ板やコンクリートパネルなどの木材板、鉄板やステンレス板などの鋼板等が用いられる。特に、コンクリートパネルは加工が容易であり防水性に優れるため、好適に用いられる。
嵌合溝の断面形状は略半円形、方形などが用いられる。特に、略半円形は、温水配管を堅固に嵌合することができるため、好適に用いられる。
嵌合溝の幅は、５０〜１５０ｍｍが好適に用いられる。幅が５０ｍｍより小さくなるにつれて温水配管を嵌合させるのが難しくなる傾向がみられ、また、１５０ｍｍより大きくなるにつれて断熱能力に劣る傾向がみられるため、いずれも好ましくない。
【００１１】
本発明の請求項３に記載の発明は、請求項１又は２に記載のサウナ用ベッドであって、前記ベッド部の前記底板上に、
前記ベッド部の長手方向と平行に配設された左側及び右側枠部材と、
前記ベッド部の長手方向と直交して配設された上及び下枠部材と、
を備え、
前記左側及び右側枠部材と前記上及び下枠部材で囲繞された中央部に前記加熱部が形成された構成を有している。
この構成により、請求項１又は２の作用に加えて、以下のような作用が得られる。
（１）左側及び右側枠部材と上及び下枠部材に囲繞されることで加熱部が堅固に形成されるため、加熱部の耐久性に優れる。
（２）入浴者が横臥する中央部の必要な箇所にのみ加熱部が形成されるため、省エネルギー性に優れる。
【００１２】
ここで、左側及び右側枠部材、上及び下枠部材としては、ベニヤ板やコンクリートパネルなどの木材板、鉄板やステンレス板などの鋼板等が用いられる。特にコンクリートパネルは加工が容易であり反りが少なく防水性や保温性に優れるため、好適に用いられる。
また、左側及び右側枠部材、上及び下枠部材の厚さは、９ｍｍ〜１５ｍｍの寸法が好適に用いられる。厚さが９ｍｍより小さくなるにつれて強度に劣る傾向がみられ、また、１５ｍｍより大きくなるにつれて重量が増大する傾向がみられ、いずれも好ましくない。
中央部の大きさは、ベッド部の長手方向が２００ｍｍ〜１８２０ｍｍ、ベッド部の横手方向が２００ｍｍ〜９１０ｍｍの寸法が好適に用いられる。長手方向及び横手方向が２００ｍｍより小さくなるにつれて加熱部の加熱能力に劣る傾向がみられ、また、長手方向が１８２０ｍｍ及び横手方向が９１０ｍｍ大きくなるにつれて加熱部を形成する際に諸材料が標準規格を越えてしまい費用がかかる上に運搬や施工時に手間がかかる傾向がみられ、いずれも好ましくない。
【００１３】
本発明の請求項４に記載の発明は、請求項１及至３の内いずれか１項に記載のサウナ用ベッドであって、前記ベッド部の前記中央部を除く前記底板の上部に立設された桟部と、平板状に形成され前記桟部の上部に配設された補助底板と、前記補助底板の上部に配設された前記放熱部と、を有する補助加熱部を備え、
及び／又は、前記加熱部が、
前記床断熱材の上部に前記左側及び右側枠部材と前記上及び下枠部材に沿って井形に配設された断熱枠材を備えた構成を有している。
この構成により、請求項１及至３の作用に加えて、以下のような作用が得られる。
（１）中央部を除く底板の上部に補助加熱部を形成することで加熱面積が増えるため、カバー部を略均一に加熱することができる。
（２）断熱枠材により左側及び右側枠部材または前記上及び下枠部材を介して外部に熱が逃れなくなるので、放射体岩盤の加熱効率に優れる。
【００１４】
ここで、桟部及び補助底板としては、ベニヤ板やコンクリートパネルなどの木材板、鉄板やステンレス板などの鋼板等が用いられる。特にコンクリートパネルは加工が容易であり反りが少なく防水性や保温性に優れるため、好適に用いられる。
断熱枠材としては、グラスウールやロックウール等の無機繊維系、ポリスチレンフォームやウレタンフォーム等の発泡プラスチック系、木質繊維系などの断熱性の高い材料が用いられる。特にポリスチレンフォームは断熱性及び耐久性に優れるため、好適に用いられる。
断熱枠材の幅は、１０〜７０ｍｍの寸法の数値が好適に用いられる。厚さが１０ｍｍより薄くなるにつれて断熱性に劣る傾向がみられ、また７０ｍｍより厚くなると断熱効果を維持するのに必要な厚さを上回り重量が増大する傾向がみられるため、いずれも好ましくない。
【００１５】
本発明の請求項５に記載の発明は、請求項１及至４の内いずれか１項に記載のサウナ用ベッドであって、前記放熱部補強部が、両面に積層された遠赤外線反射シートを備えた構成を有している。
この構成により、請求項１及至４の内いずれか１項の作用に加えて、以下のような作用が得られる。
（１）遠赤外線反射シートが放射体岩盤から発生する赤外線や遠赤外線を反射するため、加温効果を高めることができる。
【００１６】
ここで、遠赤外線反射シートとしては、アルミテープ、ガラス入りアルミテープ等が用いられる。特にアルミテープは、遠赤外線の反射性に優れるため、好適に用いられる。
【００１７】
本発明の請求項６に記載の発明は、請求項１及至５の内いずれか１項に記載のサウナ用ベッドであって、前記カバー部が、
前記加熱部又は前記補助加熱部の直上の前記カバー部に開口された１以上の開口部と、
前記開口部に脱着自在に嵌合された矩形状の受皿部と、
前記受皿部に玉石を充填して形成された玉石部と、
を備えた構成を有している。
この構成により、請求項１及至５の内いずれか１項の作用に加えて、以下のような作用が得られる。
（１）受皿部に水や温水を補給して周囲の熱により蒸発させることで入浴部内の湿度が上昇するため、サウナ効果を高めることができる。
（２）受皿部が脱着自在であるため、衛生的に優れる。
（３）玉石を表面が放射体岩盤と面一になるように受皿部に充填して形成されているので、安全性に優れる。
【００１８】
ここで、開口部の寸法は、ベッド部の長手方向が３００〜９００ｍｍ、ベッド部の長手方向に垂直な横手方向が、１００〜２００ｍｍに形成される。ベッド部の長手方向の寸法が３００ｍｍより小さくなるにつれて水蒸気の発生能力に劣る傾向がみられ、また、９００ｍｍより大きくなるにつれて加工が難しくなり作業性に劣る傾向がみられるため、いずれも好ましくない。
また、ベッド部の長手方向に垂直な横手方向の寸法が１００ｍｍより小さくなるにつれて水蒸気の発生能力に劣る傾向がみられ、また、２００ｍｍより大きくなるにつれて重量が増大する傾向がみられるため、いずれも好ましくない。
受皿部の高さは、カバー部の厚さと同じであることが好ましく、１５ｍｍ〜４５ｍｍの寸法が好適に用いられる。厚さが１５ｍｍより小さくなるにつれて水蒸気の発生能力に劣る傾向がみられ、また、４５ｍｍより大きくなるにつれて重量が増大する傾向がみられ、いずれも好ましくない。
また、玉石の直径は、１０〜３０ｍｍが好適に用いられる。１０ｍｍより小さくなるにつれて清掃時に玉石が受皿部より飛び出してしまい清掃の作業性に劣る傾向がみられ、また、３０ｍｍより大きくなるにつれて玉石部の凹凸が大きくなり入浴者に違和感を与える傾向がみられ、いずれも好ましくない。
【００１９】
本発明の請求項７に記載のベッド式サウナは、請求項１及至６のいずれかに記載されたサウナ用ベッドの前記カバー部の上面に覆設された入浴シーツと、
前記入浴シーツの上部に覆設された入浴カバーと、
を備えた構成を有している。
この構成により、以下のような作用が得られる。
（１）入浴シーツを覆設し入浴者を入浴シーツ上面に運んだ後には入浴者を動かすことなく入浴カバーを覆設することができるので、特に障害者の入浴を容易に行うことができる。
（２）入浴シーツ及び入浴カバーにより略密閉空間ができるため、サウナ効果を高めることができる。
（３）入浴シートや入浴カバーが取り去ることができるため、入浴後に入浴シートや入浴カバー及びカバー部をはずし全体をアルコール消毒等をすることができるため、常に衛生的に保つことができる。
【００２０】
ここで、入浴シーツとしては、ビニールシート、バスタオルなどの布、ポリエステル、ポリエステルにポリウレタンをラミネートしたもの等が用いられる。特に、バスタオルなどの布は入浴者の汗を吸い取ることができ、湿らせて使用することで入浴者が火傷等をすることがなく、放射体岩盤の表面から発生する蒸気も布面を透過させることで入浴カバー内の湿度を高めることができるため、好適に用いられる。
入浴カバーとしては、ポリエステル、バスタオルなどの布、表面に布を接着したアルミシート、ポリウレタンをラミネートしたポリエステル、ポリウレタンをラミネートしたポリエステルの上面に布を接着したアルミシートを積層させたものなどが用いられる。特に、ポリウレタンをラミネートしたポリエステルの上面に布を接着したアルミシートを積層させたものは、重量が軽く遠赤外線を反射し保湿性及び断熱性に優れるため、好適に用いられる。
【００２１】
本発明の請求項８に記載の発明は、請求項７に記載のベッド式サウナであって、
前記入浴カバー内に多湿気体又は微細液体を供給し前記入浴カバー内を多湿雰囲気にする多湿雰囲気供給装置と、
前記入浴カバーと前記多湿雰囲気供給装置とを連通して連結する連結部と、
を備えた構成を有している。
この構成により、請求項７の作用に加えて、以下のような作用が得られる。
（１）多湿雰囲気供給装置により入浴部内に多湿気体又は微細液体を供給し、放射体岩盤等からの熱で入浴部内の温度が一定に保たれるため、サウナ効果が高め手足などの末端の血行促進効果を高めることができる。
（２）多湿雰囲気供給装置により入浴部内に多湿気体又は微細液体を供給し、放射体岩盤から発生する遠赤外線がマイナスイオンを発生させるため、マイナスイオンの働きで免疫力の増加を促し生態機能のバランスをとることができる。
（３）サウナ用ベッドの放射体岩盤より発生する遠赤外線と多湿雰囲気供給装置より発生する多湿気体又は微細液体とでスチームサウナ浴を行うことができるため、低温で入浴することができる。
（４）ベッド式によりサウナ入浴を行うため、１人で利用することができる。
【００２２】
ここで、多湿雰囲気の供給方法としては、スチーム式、遠心噴霧式、超音波式、フィルター気化式などが用いられる。特に、超音波式の多湿雰囲気供給装置は水の粒子径を細かくでき、温度が低い状態で入浴部内に多湿気体又は微細液体を供給することができるため、好適に用いられる。
連結部としては、プラスチック配管、銅などの金属配管、フレキシブル配管などが用いられる。特に、フレキシブル配管は多湿雰囲気供給装置の振動を軽減することができ、多湿雰囲気供給装置を自由に配設することができるため、好適に用いられる。
【００２３】
【発明の実施の形態】
以下、本発明の実施の形態を、図１及至図９を参照しながら説明する。
（実施の形態１）
図１は実施の形態１におけるベッド式サウナの斜視図であり、図２は図１のサウナ用ベッドのＡ−Ａ矢視要部断面図であり、図３はサウナ用ベッドを示す図２のＢ線要部断面図であり、図４は図３のＣ−Ｃ矢視要部断面端面図であり、図５は図３のＤ−Ｄ矢視要部断面端面図であり、図６は図５のＥ−Ｅ矢視要部断面端面図であり、図７は図１のＦ−Ｆ矢視要部断面端面図である。
図１及至図７において、１は化粧板などの木材等からなり後述する底板とベッド周壁を有するベッド部、１ａはコンクリートパネル等からなりベッド周壁に水平に固定された底板、１ｂは化粧板などの木材等からなり略井形に形成されたベッド周壁、１ｃはコンクリートパネルや木板を底板１ｂの中央部に枠状又は井桁状に配設された枠部材、２は発泡ポリスチレン等の発泡材で形成され枠部材１ｃ内に配設された床断熱材、２ａは発泡ポリスチレン等の発泡材で形成され床断熱材２の周囲に配設された断熱枠材、３はコンクリートパネル等からなり断熱枠材２ａの内部に配設された床下補強板、４は発泡ポリスチレン等の発泡材の上面にアルミシート等の遠赤外線反射材を積層して形成され床下補強板３の上部に配設された放熱部、４ａは放熱部４の上面に断面が略円形に形成された嵌合溝、５は架橋ポリエチレンやポリブデン等で形成され嵌合溝４ａに嵌合された温水供給管及び温水還流管からなる温水配管、５ａは温水供給管、５ｂは温水還流管、６はベニヤ板等の剛性薄板で形成され放熱部４の上部に嵌合溝４ａを開けて配設された放熱部補強部、６ａはアルミテープ等の遠赤外線反射材で形成され放熱部補強部６の上下面に接着された遠赤外線反射シート、７は枠部材１ｃ内に配設された床断熱材２、断熱枠材２ａ、床下補強板３、放熱部４、温水配管５、放熱部補強部６からなる加熱部である。また、８はアクリル板等の硬質合成樹脂板などで形成されベッド周壁１ｂ内に配設され枠部材１ｃで支持されたカバー部、８ａは加熱部７の上部のカバー部８の長手方向の中心軸に沿って横臥した人の胸部、腰部、足部に当る部分に方形に形成された嵌合部、９は天照石等からなりカバー部８の嵌合部８ａに嵌合され背中用放射体岩盤９ａ、腰用放射体岩盤９ｂ、足用放射体岩盤９ｃからなる遠赤外線等の電磁波の放射体岩盤、１０は灯油やガスを燃料とする温水器等からなり温水供給管５ａへ温水を送りリモコン１０ａを備えた温水器、１１は枠部材１ｃを形成するベッド部１の長手方向と平行して底板１ａの上部に配設された左側枠部材、１１ａは中央部１３を空けて左側枠部材１１に平行して底板１ａの上部に配設された右側枠部材、１２はベッド部１の中央部１３を空けて長手方向と直交して底板１ａの上部に配設された上枠部材、１２ａは上枠部材１２と平行して底板１ａの上部に配設された下枠部材、１３ａは左側枠部材１１又は右側枠部材１１ａ、上枠部材１２、下枠部材１２ａ及びベッド周壁１ｂで囲繞され中央部１３の左右に隣接する側部である。
１４はコンクリートパネル等からなり側部１３ａにおいて底板１ａの上部に立設された桟部、１４ａはコンクリートパネル等からなり桟部１４の上部に配設された補助底板、１５は補助底板１４ａの上部に配設された放熱部４を備えた補助加熱部である。１６はバスタオルなどの布等からなりカバー部８の上面に覆設された入浴シーツ、１７はポリウレタンをラミネートしたポリエステル等からなり入浴シーツ１７の上部に覆設される入浴カバー、１８は入浴カバー１７の内に多湿気体又は微細液体を供給する超音波式の多湿雰囲気供給装置、１９は入浴カバー１７と多湿雰囲気供給装置１８とを連通して連結する連結部である。また、２０は実施の形態１におけるサウナ用ベッド、２１は実施の形態１におけるベッド式サウナである。
なお、実施の形態１においては、ベッド部１の寸法は幅１ｍ、長さ２ｍ、放射体岩盤９の寸法は、幅３００ｍｍ、厚さ３０ｍｍに形成されている。また、放熱部４及び温水配管５として、根太間用温水パネル（商品名：サンポット■製）を、入浴カバー１７として、楽楽浴＆楽楽シャワースチーム温浴＆シャワー浴（商品名：ＴＯＴＯ製）のＥＷＡ７００Ｂ、また、多湿雰囲気供給装置１８として、楽楽浴＆楽楽シャワースチーム温浴＆シャワー浴（商品名：ＴＯＴＯ製）のＥＷＡ７００Ａを用いた。
【００２４】
以上のように構成された実施の形態１におけるサウナ用ベッド及びそれを用いたベッド式サウナについて、その建設仕様について図１及至図７を参照しながら以下に説明する。
まず、サウナ用ベッド２０については、図２及び図３に示すように、ベッド部１の中央部１３を空けて長手方向と平行して底板１ａの上部に左側枠部材１１及び右側枠部材１１ａを配設する。次いで、ベッド部１の中央部１３を空けて長手方向と直交して底板１ａの上部に上枠部材１２及び下枠部材１２ａを配設することで枠部材１ｃが形成される。これにより、左側枠部材１１、右側枠部材１１ａ、上枠部材１２、下枠部材１２ａで囲繞される中央部１３が、また、左側枠部材１１又は右側枠部材１１ａ、上枠部材１２、下枠部材１２ａ、ベッド周壁１ｂで囲繞され中央部１３の左右に隣接する側部１３ａが形成される。次いで、図４及び図７に示すように、中央部１３において底板１ａの上部に床断熱材２を配設し、床断熱材２の周囲に断熱枠材２ａを配設する。次いで、断熱枠材２ａの内部に床下補強板３を配設し、表面の嵌合溝４ａに温水配管５を嵌合した放熱部４を床下補強板３の上部に配設する。次いで、遠赤外線反射シート６ａを上下面に接着した放熱部補強部６を放熱部４の上部に嵌合溝４ａを避けて配設することで、加熱部７が中央部１３に形成される。次いで、図５及至図７に示すように、側部１３ａにおいて底板１ａの上部に桟部１４を立設し、桟部１４の上部に補助底板１４ａを配設する。次いで、補助底板１４ａの上部に放熱部４を配設することで補助加熱部１５が形成される。次いで、図１及び図２に示すように、ベッド周壁１ｂ内にカバー部８を載置し、カバー部８に形成される嵌合部８ａに背中用放射体岩盤９ａ、腰用放射体岩盤９ｂ、足用放射体岩盤９ｃを嵌合し、温水配管５を温水器１０へと接続することでサウナ用ベッド２０が形成される。
また、ベッド式サウナ２１については、サウナ用ベッド２０のカバー部８の上面に入浴シーツ１６を覆設し、入浴シーツ１６の上部に入浴カバー１７を覆設する。次いで、入浴カバー１７と多湿雰囲気供給装置１８とを連結部１９で連通して連結することでベッド式サウナ２１が形成される。
【００２５】
以上のようにして建設された実施の形態１におけるサウナ用ベッド及びそれを用いたベッド式サウナについて、以下その使用方法を説明する。
カバー部８の上面に入浴シーツ１６を覆設し、入浴シーツ１６の上面に入浴者は横臥する。次いで、入浴者の上部から入浴カバー１７を覆設する。次いで、入浴カバー１７と多湿雰囲気供給装置１８を連結部１９で連通して連結し、入浴カバー１７の内部を８０％〜９０％程度の多湿雰囲気にする。同時にリモコン１０ａを操作して温水器１０から温水供給管５ａに温水を送ることで温水供給管５ａを加熱する。このとき、温水供給管５ａから放熱部４の表面を介し熱伝導でカバー部８と、放熱部補強部６を介して放射体岩盤９と、が加熱され、表面を４２℃〜４３℃程度に維持し、放射体岩盤９より遠赤外線を放射させ多湿雰囲気中にマイナスイオンを発生させて、スチーム、遠赤外線、マイナスイオンの３つの方法で入浴者のサウナ効果を高める。
なお、使用前に予め放射体岩盤９に霧吹き等により水を掛けておくと入浴カバー１７の内部の湿度が使用前に上昇するため、好ましい。
【００２６】
以上のように実施の形態１におけるサウナ用ベッド及びそれを用いたベッド式サウナは構成されているので、以下のような作用が得られる。
（１）加熱された温水供給管からの熱が直上の放射体岩盤に伝導するため、放射体岩盤を効率良く加熱することができる。
（２）放射体岩盤からは熱に加えて遠赤外線が発生して熱及び遠赤外線の両方が入浴者を温めるため、温水配管の設定温度を低くすることができる。
（３）温水配管の温度を低くできるため、低温で入浴することができる。
（４）加熱を停止しても放射体岩盤の熱伝導率が低いため、保温効果に優れる。
（５）加熱部の直下に床断熱材を用いているので、断熱効果が高く、省エネルギー性に優れる。
（６）カバー部が脱着自在にすることで入浴後にカバー部をはずし全体をアルコール消毒または日光消毒等することができるため、常に衛生的に保つことができる。
（７）放熱部補強部が嵌合溝を避けて配設され温水配管に荷重がかからないため、温水配管の耐久性に優れる。
（８）カバー部が載置されることで下部への荷重が均一に分散されるため、耐久性に優れる。
（９）放射体岩盤がカバー部に嵌合されることで放射体岩盤とカバー部を面一にすることができるため、入浴者が違和感なく横臥し入浴することができる。
（１０）ベッド式によりサウナ入浴を行うため、１人で利用することができる。
（１１）加熱部の上面に近接して放射体岩盤が配設されており加熱部の熱を効率良く放射体岩盤に伝熱できるので、温水器のコンパクト化がはかれる。
（１２）温水配管の下面やその周囲を断熱材で囲繞しているため、保温効果が高く省エネルギー性を高め、温水器のコンパクト化がはかれる。
（１３）床下補強板を使用するため、加熱部の強度及び耐久性を高めることができる。
（１４）嵌合溝に温水配管を嵌合させることにより温水配管にかかった上部からの荷重を分散できるため、温水配管の耐久性に優れる。
（１５）左側及び右側枠部材と上及び下枠部材に囲繞されることで加熱部が堅固に形成されるため、加熱部の耐久性に優れる。
（１６）入浴者が横臥する中央部の必要な箇所にのみ加熱部が形成されるため、省エネルギー性に優れる。
（１７）中央部を除く底板の上部に補助加熱部を形成することで加熱面積が増えるため、カバー部を略均一に加熱することができる。
（１８）断熱枠材により左側及び右側枠部材または前記上及び下枠部材を介して外部に熱が逃れなくなるので、放射体岩盤の加熱効率に優れる。
（１９）遠赤外線反射シートが放射体岩盤から発生する赤外線や遠赤外線を反射するため、加温効果を高めることができる。
（２０）入浴シーツを覆設し入浴者を入浴シーツ上面に運んだ後には入浴者を動かすことなく入浴カバーを覆設することができるので、特に障害者の入浴を容易に行うことができる。
（２１）入浴シーツ及び入浴カバーにより略密閉空間ができるため、サウナ効果を高めることができる。
（２２）入浴シートや入浴カバーが取り去ることができるため、入浴後に入浴シートや入浴カバー及びカバー部をはずし全体をアルコール消毒等をすることができるため、常に衛生的に保つことができる。
（２３）多湿雰囲気供給装置により入浴部内に多湿気体又は微細液体を供給し、放射体岩盤等からの熱で入浴部内の温度が一定に保たれるため、サウナ効果が高め手足などの末端の血行促進効果を高めることができる。
（２４）多湿雰囲気供給装置により入浴部内に多湿気体又は微細液体を供給し、放射体岩盤から発生する遠赤外線がマイナスイオンを発生させるため、マイナスイオンの働きで免疫力の増加を促し生態機能のバランスをとることができる。
（２５）サウナ用ベッドの放射体岩盤より発生する遠赤外線と多湿雰囲気供給装置より発生する多湿気体又は微細液体とでスチームサウナ浴を行うことができるため、低温で入浴することができる。
【００２７】
（実施の形態２）
図８は実施の形態２におけるベッド式サウナの斜視図であり、図９は図８のサウナ用ベッドのＧ−Ｇ矢視要部断面図である。
図８及び図９において、１はベッド部、１ａは底板、１ｂはベッド周壁、２は床断熱材、２ａは断熱枠材、３は床下補強板、４は放熱部、４ａは嵌合溝、５は温水配管、５ａは温水供給管、５ｂは温水還流管、６は放熱部補強部、６ａは遠赤外線反射シート、７は加熱部、８はカバー部、８ａは嵌合部、９は放射体岩盤、９ａは背中用放射体岩盤、９ｂは腰用放射体岩盤、９ｃは足用放射体岩盤、１０は温水器、１０ａはリモコン、１１は左側枠部材、１１ａは右側枠部材、１３は中央部、１３ａは側部、１４は桟部、１４ａは補助底板、１５は補助加熱部、１６は入浴シーツであり、これらは実施の形態１において説明したのと同様であるので同一の符号を付けて説明を省略する。
１７ａは入浴シーツ１６の上部に覆設され織物が積層されたアルミシート等からなる入浴カバー、８ｂは補助加熱部１５の直上のカバー部８に開口された開口部、８ｃは矩形状に形成されアルミ等からなり開口部８ｂに脱着自在に嵌合され水や温水が底部に貯水される受皿部、８ｄは受皿部８ｃに玉石を表面が放射体岩盤９と面一になるように充填して形成された玉石部である。また、２０ａは実施の形態２におけるサウナ用ベッド、２１ａは実施の形態２におけるベッド式サウナである。
【００２８】
実施の形態２のベッド式サウナ２１ａが実施の形態１のベッド式サウナ２１と異なる点は、カバー板８に形成された開口部８ｂに玉石部８ｄを有する受皿部８ｃが嵌合されている点と、入浴カバー１７ａの種類が異なる点と、ベッド式サウナ２１ａが多湿雰囲気供給装置１８及び連結部１９を備えていない点である。
なお、実施の形態２においては、入浴カバー１７ａとして、アルミ暖健康毛布（商品名：菊川製作所）を用いた。
【００２９】
以上のようにして建設された実施の形態２におけるサウナ用ベッド及びそれを用いたベッド式サウナについて、以下その使用方法を説明する。
カバー部８の上面に入浴シーツ１６を覆設し、入浴シーツ１６の上面に入浴者は横臥する。次いで、入浴者の上部から入浴カバー１７ａを覆設する。次いで、リモコン１０ａを操作して温水器１０から温水供給管５ａに温水を送ることで温水供給管５ａを加熱する。このとき、温水供給管５ａから放熱部４の表面を介し熱伝導でカバー部８と、放熱部補強部６を介して放射体岩盤９と、が加熱され、表面を４２℃〜４３℃程度に維持し、放射体岩盤９より遠赤外線を放射させ予め水や温水を補給していた受皿部８ｃから発生する水蒸気による多湿雰囲気中にマイナスイオンを発生させて、スチーム、遠赤外線、マイナスイオンの３つの方法で入浴者のサウナ効果を高める。
なお、使用前に予め放射体岩盤９に霧吹き等により水を掛けておくと入浴カバー１８ａの内部の湿度が使用前に上昇するため、好ましい。
また、実施の形態２において、入浴カバー１７ａとして、楽楽浴＆楽楽シャワースチーム温浴＆シャワー浴（商品名：ＴＯＴＯ製）のＥＷＡ７００Ｂの裏面にアルミ暖健康毛布（商品名：菊川製作所）を積層させたものを用い、さらに実施の形態１で用いた多湿雰囲気供給装置１８及び連結部１９を使用することで、入浴カバー１７ａの内部に十分な湿度を保つことができ、さらにアルミ暖毛布により入浴カバー１７ａ内に発生した遠赤外線を内部に反射し保温効果をさらに高めることもできる。
【００３０】
以上のように実施の形態２におけるベッド式サウナは構成されているので、実施の形態１で得られる作用に加え、以下のような作用が得られる。
（１）受皿部に水や温水を補給して周囲の熱により蒸発させることで入浴部内の湿度が上昇するため、サウナ効果を高めることができる。
（２）入浴カバーにアルミシートを用いており放射体岩盤から発生する遠赤外線を内側へ反射するため、入浴者の遠赤外線効果を高めることができる。
（３）多湿雰囲気供給装置及び連結部を使用していないため、ベッド式サウナの設置スペースを小さくすることができる。
（４）受皿部が脱着自在であるため、衛生的に優れる。
（５）玉石を表面が放射体岩盤と面一になるように受皿部に充填して形成されているので、安全性に優れる。
【００３１】
【発明の効果】
以上のように、本発明のサウナ用ベッドは、請求項１に記載の発明によれば、以下のような有利な効果が得られる。
（１）加熱された温水供給管からの熱が直上の放射体岩盤に伝導するため、放射体岩盤を効率良く加熱するサウナ用ベッドを提供することができる。
（２）放射体岩盤からは熱に加えて遠赤外線が発生して熱及び遠赤外線の両方が入浴者を温めるため、温水配管の設定温度が低い省資源性に優れたサウナ用ベッドを提供することができる。
（３）温水配管の温度を低くできるため、低温で入浴可能なサウナ用ベッドを提供することができる。
（４）加熱を停止しても放射体岩盤の熱伝導率が低いため、保温効果に優れたサウナ用ベッドを提供することができる。
（５）加熱部の直下に床断熱材を用いているので、断熱効果が高く、省エネルギー性に優れたサウナ用ベッドを提供することができる。
（６）カバー部が脱着自在にすることで入浴後にカバー部をはずし全体をアルコール消毒または日光消毒等することができるため、常に衛生的に保てるサウナ用ベッドを提供することができる。
（７）放熱部補強部が嵌合溝を避けて配設され温水配管に荷重がかからないため、温水配管の耐久性に優れたサウナ用ベッドを提供することができる。
（８）カバー部が載置されることで下部への荷重が均一に分散されるため、耐久性に優れたサウナ用ベッドを提供することができる。
（９）放射体岩盤がカバー部に嵌合されることで放射体岩盤とカバー部を面一にすることができるため、入浴者が違和感なく横臥し入浴することができ利便性に優れたサウナ用ベッドを提供することができる。
（１０）ベッド式によりサウナ入浴を行うため、１人で利用可能なサウナ用ベッドを提供することができる。
【００３２】
請求項２に記載の発明によれば、請求項１に記載の効果に加えて以下のような有利な効果が得られる。
（１）温水配管の下面やその周囲を断熱材で囲繞しているため、保温効果が高く省エネルギー性を高め、温水器がコンパクトなサウナ用ベッドを提供することができる。
（２）床下補強板を使用するため、加熱部の強度及び耐久性に優れたサウナ用ベッドを提供することができる。
（３）嵌合溝に温水配管を嵌合させることにより温水配管にかかった上部からの荷重を分散できるため、温水配管の耐久性に優れたサウナ用ベッドを提供することができる。
【００３３】
請求項３に記載の発明によれば、請求項１又は２に記載の効果に加えて以下のような有利な効果が得られる。
（１）左側及び右側枠部材と上及び下枠部材に囲繞されることで加熱部が堅固に形成されるため、加熱部の耐久性に優れたサウナ用ベッドを提供することができる。
（２）入浴者が横臥する中央部の必要な箇所にのみ加熱部が形成されるため、省エネルギー性に優れたサウナ用ベッドを提供することができる。
【００３４】
請求項４に記載の発明によれば、請求項１及至３の内いずれか１項に記載の効果に加えて以下のような有利な効果が得られる。
（１）中央部を除く底板の上部に補助加熱部を形成することで加熱面積が増えるため、カバー部を略均一に加熱するサウナ用ベッドを提供することができる。
（２）断熱枠材により左側及び右側枠部材または前記上及び下枠部材を介して外部に熱が逃れなくなるので、放射体岩盤の加熱効率に優れたサウナ用ベッドを提供することができる。
【００３５】
請求項５に記載の発明によれば、請求項１及至４の内いずれか１項に記載の効果に加えて以下のような有利な効果が得られる。
（１）遠赤外線反射シートが放射体岩盤から発生する赤外線や遠赤外線を反射するため、加温効果を高いサウナ用ベッドを提供することができる。
【００３６】
請求項６に記載の発明によれば、請求項１及至５の内いずれか１項に記載の効果に加えて以下のような有利な効果が得られる。
（１）受皿部に水や温水を補給して周囲の熱により蒸発させることで入浴部内の湿度が上昇するため、サウナ効果の高いサウナ用ベッドを提供することができる。
（２）受皿部が脱着自在であるため、衛生的に優れたサウナ用ベッドを提供することができる。
（３）玉石を表面が放射体岩盤と面一になるように受皿部に充填して形成されているので、安全性に優れたサウナ用ベッドを提供することができる。
【００３７】
本発明のベッド式サウナは請求項７に記載の発明によれば、以下のような有利な効果が得られる。
（１）入浴シーツを覆設し入浴者を入浴シーツ上面に運んだ後には入浴者を動かすことなく入浴カバーを覆設することができるので、特に障害者の入浴を容易に行えるベッド式サウナを提供することができる。
（２）入浴シーツ及び入浴カバーにより略密閉空間ができるため、サウナ効果の高いベッド式サウナを提供することができる。
（３）入浴シートや入浴カバーが取り去ることができるため、入浴後に入浴シートや入浴カバー及びカバー部をはずし全体をアルコール消毒等をすることができるため、常に衛生的なベッド式サウナを提供することができる。
【００３８】
請求項８に記載の発明によれば、請求項７に記載の効果に加えて以下のような有利な効果が得られる。
（１）多湿雰囲気供給装置により入浴部内に多湿気体又は微細液体を供給し、放射体岩盤等からの熱で入浴部内の温度が一定に保たれるため、サウナ効果が高め手足などの末端の血行促進効果が高いベッド式サウナを提供することができる。
（２）多湿雰囲気供給装置により入浴部内に多湿気体又は微細液体を供給し、放射体岩盤から発生する遠赤外線がマイナスイオンを発生させるため、マイナスイオンの働きで免疫力の増加を促し生態機能のバランスをとれるベッド式サウナを提供することができる。
（３）サウナ用ベッドの放射体岩盤より発生する遠赤外線と多湿雰囲気供給装置より発生する多湿気体又は微細液体とでスチームサウナ浴を行うことができるため、低温で入浴可能なベッド式サウナを提供することができる。
（４）ベッド式によりサウナ入浴を行うため、１人で利用可能なベッド式サウナを提供することができる。
【図面の簡単な説明】
【図１】実施の形態１におけるベッド式サウナの斜視図
【図２】図１のサウナ用ベッドのＡ−Ａ矢視要部断面図
【図３】サウナ用ベッドを示す図２のＢ線要部断面図
【図４】図３のＣ−Ｃ矢視要部断面端面図
【図５】図３のＤ−Ｄ矢視要部断面端面図
【図６】図５のＥ−Ｅ矢視要部断面端面図
【図７】図１のＦ−Ｆ矢視要部断面端面図
【図８】実施の形態２におけるベッド式サウナの斜視図
【図９】図８のサウナ用ベッドのＧ−Ｇ矢視要部断面図
【図１０】従来のサウナ室の正面図
【符号の説明】
１  ベッド部
１ａ  底板
１ｂ  ベッド周壁
１ｃ  枠部材
２  床断熱材
２ａ  断熱枠材
３  床下補強板
４  放熱部
４ａ  嵌合溝
５  温水配管
５ａ  温水供給管
５ｂ  温水還流管
６  放熱部補強部
６ａ  遠赤外線反射シート
７  加熱部
８  カバー部
８ａ  嵌合部
８ｂ  開口部
８ｃ  受皿部
８ｄ  玉石部
９  放射体岩盤
９ａ  背中用放射体岩盤
９ｂ  腰用放射体岩盤
９ｃ  足用放射体岩盤
１０  温水器
１０ａ  リモコン
１１  左側枠部材
１１  右側枠部材
１２  上枠部材
１２ａ  下枠部材
１３  中央部
１３ａ  側部
１４  桟部
１４  補助底板
１５  補助加熱部
１６  入浴シーツ
１７  入浴カバー
１７ａ  入浴カバー
１８  多湿雰囲気供給装置
１９  連結部
２０  実施の形態１におけるサウナ用ベッド
２０ａ  実施の形態２におけるサウナ用ベッド
２１  実施の形態１におけるベッド式サウナ
２１ａ  実施の形態２におけるベッド式サウナ
１０１  床パネル
１０２  壁パネル
１０３  天井パネル
１０４  ストーブ
１０５  防護壁
１０６  椅子
【図１】
2004194923.tif 000003
【図２】
2004194923.tif 000004
【図３】
2004194923.tif 000005
【図４】
2004194923.tif 000006
【図５】
2004194923.tif 000007
【図６】
2004194923.tif 000008
【図７】
2004194923.tif 000009
【図８】
2004194923.tif 000010
【図９】
2004194923.tif 000011
【図１０】
2004194923.tif 000012